【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
支持ケースと、前記支持ケース内に、上下対称に対面させて直列状に内装した、コイルと永久磁石とヨークとポールピースからなる２組の磁気ユニットと、下端部が上側のヨークの上壁部に固定され、前記支持ケースを貫通して上方へ延びる出力軸と、前記出力軸を往復直線運動の中間位置側に付勢する弾性部材と、前記１対のコイルを支持ケースの高さ方向の途中部に固定支持する支持部材と、上下の磁気ユニットにおける永久磁石とヨークとポールピースからなる上下の可動子を一体的に連結する連結部材と、前記コイルに変動磁場を形成するための電源手段とを備え、
前記連結部材で連結した前記２組の可動子を、前記支持ケースに対して上下方向に往復直線運動自在に設け、
前記上下の磁気ユニットのヨークを有底円筒状の磁性体でそれぞれ構成し、上下のヨークを、上側のヨークは開口を下側へ向け、下側のヨークは開口を上側へ向けて、前記支持部材を挟んで対向状に配置し、
前記上下の磁気ユニットにおいて、前記ポールピースを永久磁石の一方の磁極に固定し、前記永久磁石の他方の磁極をヨークの底部内側に固定し、前記コイルをポールピースとそれに対面するヨークの周壁部の端部間に隙間をあけて配置し、前記永久磁石とポールピースとヨークとコイルとで磁気回路を形成した、
ことを特徴とするリニアアクチュエータ。
【請求項２】
前記バネ部材として、前記支持ケースの上端部と上側のヨークとを連結するとともに、前記支持ケースの下端部と下側のヨークとを連結する上下１対のバネ部材であって、同心状に配置される環状の内周部及び外周部と、前記内周部と外周部とを接続する複数本の断面円弧状のアーム部とを有する略平板環状のバネ部材を用いた請求項１記載のリニアアクチュエータ。
【請求項３】
ハンドルを兼ねるケーシングと、
前記ケーシングに内装した前記請求項１又は２記載のリニアアクチュエータと、
前記ケーシングから外部へ突出するリニアアクチュエータの出力軸の端部に着脱自在に取付けた替えブラシと、
を備えたことを特徴とする電動歯ブラシ。
【手続補正２】
【補正対象書類名】明細書
【補正対象項目名】００１０
【補正方法】変更
【補正の内容】
【００１０】
本発明に係るリニアアクチュエータは、支持ケースと、前記支持ケース内に、上下対称に対面させて直列状に内装した、コイルと永久磁石とヨークとポールピースからなる２組の磁気ユニットと、下端部が上側のヨークの上壁部に固定され、前記支持ケースを貫通して上方へ延びる出力軸と、前記出力軸を往復直線運動の中間位置側に付勢する弾性部材と、前記１対のコイルを支持ケースの高さ方向の途中部に固定支持する支持部材と、上下の磁気ユニットにおける永久磁石とヨークとポールピースからなる上下の可動子を一体的に連結する連結部材と、前記コイルに変動磁場を形成するための電源手段とを備え、前記連結部材で連結した前記２組の可動子を、前記支持ケースに対して上下方向に往復直線運動自在に設け、前記上下の磁気ユニットのヨークを有底円筒状の磁性体でそれぞれ構成し、上下のヨークを、上側のヨークは開口を下側へ向け、下側のヨークは開口を上側へ向けて、前記支持部材を挟んで対向状に配置し、前記上下の磁気ユニットにおいて、前記ポールピースを永久磁石の一方の磁極に固定し、前記永久磁石の他方の磁極をヨークの底部内側に固定し、前記コイルをポールピースとそれに対面するヨークの周壁部の端部間に隙間をあけて配置し、前記永久磁石とポールピースとヨークとコイルとで磁気回路を形成したものである。前記ヨークは、前記永久磁石及びコイルの外側の略全体を覆うように設けることができ、これにより永久磁石及びコイルから外部への磁気漏れを一層効果的に防止することができる。また、前記ヨークの端部は前記コイル開口部の一方の端部から他方の端部までの範囲内に位置させることもできる。その中でも、前記ヨークの端部は、前記コイルの中心線方向の長さ（巻幅）の中央部と前記永久磁石より離れた側の端部との間に位置させることが好ましい。そうすることにより、前記ヨークにより形成される磁束（磁力）を効率よく利用することができる。
【手続補正３】
【補正対象書類名】明細書
【補正対象項目名】００１１
【補正方法】変更
【補正の内容】
【００１１】
このリニアアクチュエータでは、２つのコイルに対して同期して変動磁場を形成することで、２倍の駆動力を出力軸に作用させて、出力軸を往復直線運動させることができる。また、このリニアアクチュエータでは、上側の磁気ユニットに関しては、永久磁石の一方の磁極にポールピースを取付けて、このポールピースをコイルの内側に僅かな隙間をあけて配置させるとともに、ヨークの途中部を永久磁石の他方の磁極に密着固定し、ヨークの端部をコイルの外側に接近配置させているので、永久磁石とポールピースとヨークとコイルとで磁力漏れの少ない磁気回路を形成することができる。また、下側の磁気ユニットに関しても、上側の磁気ユニットと同様にして、永久磁石とポールピースとヨークとコイルとで、磁力漏れの少ない磁気回路を形成することができる。このため、永久磁石の磁気漏れを少なくして、リニアアクチュエータの磁気効率を高め、電動歯ブラシに適用した場合には、清掃ヘッドのブラッシング力を高めることができる。更に、ヨークがコイルと永久磁石の磁気シールドとして機能するので、部品点数を増やすことなく、支持ケース外への磁気漏れを少なくでき、磁気漏れによる他の機器への悪影響を未然に防止できる。更にまた、上下の永久磁石と上下のヨークと上下のポールピースが出力軸とともに往復直線運動するので、これらの部材を出力軸の慣性力を高めるための錘として機能させることができ、部品点数を増やしたり重量を増やしたりすることなく、出力軸の慣性力を高めて、電動歯ブラシに適用した場合には、清掃ヘッドによるブラッシング力を高めることができる。
【手続補正４】
【補正対象書類名】明細書
【補正対象項目名】００１２
【補正方法】変更
【補正の内容】
【００１２】
ここで、前記バネ部材として、前記支持ケースの上端部と上側のヨークとを連結するとともに、前記支持ケースの下端部と下側のヨークとを連結する上下１対のバネ部材であって、同心状に配置される環状の内周部及び外周部と、前記内周部と外周部とを接続する複数本の断面円弧状のアーム部とを有する略平板環状のバネ部材を用いたことができる。この場合には、バネ部材により、上下の可動子が往復直線運動の中間位置に弾性保持される。また、ガイド部材を省略して、可動子の往復直線運動時における移動抵抗を少なくできるので好ましい。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
本発明に係る電動歯ブラシは、ハンドルを兼ねるケーシングと、前記ケーシングに内装した前述した本発明に係るリニアアクチュエータと、前記ケーシングから外部へ突出するリニアアクチュエータの出力軸の端部に着脱自在に取付けた替えブラシとを備えたものである。
【手続補正９】
【補正対象書類名】明細書
【補正対象項目名】００１７
【補正方法】変更
【補正の内容】
【００１７】
この電動歯ブラシでは、前記リニアアクチュエータを用いているので、前記と同様の作用効果を得ることができる。即ち、２つのコイルに対して同期して変動磁場を形成することで、２倍の駆動力を出力軸に作用させて、出力軸を往復直線運動させることができる。また、永久磁石とポールピースとヨークとコイルとで磁力漏れの少ない磁気回路を形成して、リニアアクチュエータの磁気効率を高め、清掃ヘッドのブラッシング力を高めることができる。更に、ヨークがコイルと永久磁石の磁気シールドとして機能するので、部品点数を増やすことなく、支持ケース外への磁気漏れを少なくでき、磁気漏れによる他の機器への悪影響を未然に防止できる。更にまた、上下の永久磁石と上下のヨークと上下のポールピースが出力軸とともに往復直線運動するので、これらの部材を出力軸の慣性力を高めるための錘として機能させることができ、部品点数を増やしたり重量を増やしたりすることなく、出力軸の慣性力を高めて、清掃ヘッドによるブラッシング力を高めることができる。
【手続補正１０】
【補正対象書類名】明細書
【補正対象項目名】００１８
【補正方法】変更
【補正の内容】
【００１８】
本発明に係るリニアアクチュエータによれば、２つのコイルに対して同期して変動磁場を形成することで、２倍の駆動力を出力軸に作用させて、出力軸を往復直線運動させることができる。また、このリニアアクチュエータでは、永久磁石とポールピースとヨークとコイルとで磁力漏れの少ない磁気回路を形成して、リニアアクチュエータの磁気効率を高め、電動歯ブラシに適用した場合には、清掃ヘッドのブラッシング力を高めることができる。更に、ヨークがコイルと永久磁石の磁気シールドとして機能するので、部品点数を増やすことなく、支持ケース外への磁気漏れを少なくでき、磁気漏れによる他の機器への悪影響を未然に防止できる。更にまた、上下の永久磁石と上下のヨークと上下のポールピースが出力軸とともに往復直線運動するので、これらの部材を出力軸の慣性力を高めるための錘として機能させることができ、部品点数を増やしたり重量を増やしたりすることなく、出力軸の慣性力を高めて、電動歯ブラシに適用した場合には、清掃ヘッドによるブラッシング力を高めることができる。